(57)【要約】 【課題】  原子力発電所の機器貯蔵プールにおける切断作業で切断時に発生する汚濁物質が機器保管領域に流入し機器を汚染することを抑制する。【解決手段】  原子力発電所の機器貯蔵プール４１を二重のカーテン１，２で間仕切りして切断プール９と保管プール８とに区画し、二重のカーテン１，２の間に形成されたポケット３内に切断プール内のプール水を浄化装置６で浄化した清浄水１２を注入し、カーテン１，２とプール内面との間の封止部に発生した間仕切りの隙間に清浄水１２をポケット３からその隙間を経由して切断プール９と保管プール８とに流入させ、その隙間に切断プール９側で発生した汚濁水がその隙間を経由して保管プール８側に流入することを阻止する。【選択図】図１
2006242727.tif 000002
【特許請求の範囲】
【請求項１】
プールを複数に区画するとともに、前記各区画間のプール水の混合を抑制する仕切りを有するプールの仕切り装置において、
前記プールの内面と仕切りの間、または仕切りの構成パネル間の隙間に水を供給或いは前記隙間の水を吸引する水輸送設備を備えていることを特徴としたプールの仕切り装置。
【請求項２】
請求項１において、
並行した複数枚の仕切りを備え、
前記各仕切りの間に形成された領域に前記水輸送設備が連通してあることを特徴としたプールの仕切り装置。
【請求項３】
請求項１において、
前記仕切りは、水を通さないパネルによって形成され、
前記パネルの内側には水路が形成され、
前記水路は前記パネルの縁と前記水輸送設備との間に接続されることを特徴としたプールの仕切り装置。
【請求項４】
請求項３において、
前記パネルは複数の分割パネルを継ぎ足して形成され、前記水路が前記各分割パネルの継ぎ目と前記水輸送設備との間に接続されることを特徴としたプールの仕切り装置。
【請求項５】
請求項２において、前記仕切りの間に形成された領域に前記水輸送設備に連通されている配管を前記プールの内面に沿って設け、前記配管に仕切りの間に形成された領域に通じる水の流通口を前記配管の長手方向へ分散して備えていることを特徴としたプールの仕切り装置。
【請求項６】
請求項１から請求項５までのいずれか一項において、前記水輸送設備は、前記水輸送設備で扱う水を浄化する手段を備えていることを特徴としたプールの仕切り装置。
【請求項７】
請求項１から請求項６までのいずれか一項において、前記プールは、原子力発電所の原子炉ウェルと連通自在に設けられた機器貯蔵プールであり、前記仕切りは前記機器貯蔵プール内に設定した保管プールの領域と切断プールの領域との間及び前記機器貯蔵プールと前記原子炉ウェルとの間に設けられていることを特徴としたプールの仕切り装置。
【発明の詳細な説明】
【技術分野】
【０００１】
本発明は、プール内を複数の領域に区画し、各区画間のプール水が混合することを抑制する技術に関する。
【背景技術】
【０００２】
原子力発電所には原子炉の真上に原子炉ウェルが設けられて、原子炉内の機器や核燃料を取り扱う際の放射線遮蔽用の水を張るプールとして用いられている。その原子炉ウェルに隣接して、原子炉ウェルと連通及び遮断自在に接続されている機器貯蔵プールが存在する。
【０００３】
機器貯蔵プールでは原子炉定期検査の際に分解した原子炉内の機器を貯蔵機器として一時仮置き貯蔵する。また、原子炉内の機器は分解後の貯蔵機器であっても放射能を有するため放射線の遮蔽材としての水を機器貯蔵プールに張った状態で水中において原子炉内から原子炉ウェルを通して搬送して貯蔵を行う。
【０００４】
また、機器貯蔵プール内は原子炉のメンテナンスによる交換によって不要となる機器を細かく切断する作業などを行う際にも用いられる。その切断作業に使用する機器貯蔵プール内の一部領域は、間仕切りを用いて機器の保管に用いる領域から区画される。
【０００５】
間仕切りで区画されて機器を細かく切断する作業領域は切断プールと言われ、機器貯蔵に用いる領域は保管プールと言われている。一般的には、貯蔵機器を貯蔵プールに仮置きし、切断プール内に不要となる機器の切断装置を置く。そして、不要となる機器を切断プール内で切断装置で細かく切断処理する。その切断に際して発生した汚濁物質が保管プールに拡散することを間仕切りが防止する。
【０００６】
このように用いられる間仕切りとしては、プール内壁面にシールを介して設置した枠フレームに分割した複数のパネルを上下に継いで重ね上げる間仕切り構成（例えば、特許文献１参照）や、水平な補強骨を入れたロールカーテンをプール内の垂直面沿いに立てたガイドに沿って降ろし、カーテンとプール内壁面との間にシールを施すことの出来る間仕切り構成（例えば、特許文献２参照）が公知である。
【０００７】
【特許文献１】特開２００２−２５７９８７号公報
【特許文献２】特開２００２−３１８２９６号公報
【発明の開示】
【発明が解決しようとする課題】
【０００８】
大型プールの間仕切りの場合、間仕切りを構成する枠フレーム及びパネルやカーテンの剛性を高めたとしても、間仕切りのプール内壁面に対する封止面の幾何学的精度及び表面の仕上げを完璧にして水密とすることは困難である。その困難性はプールが深くて大形になればなるほど大きくなる。
【０００９】
さらに、プールの壁面に対しては、もとより封止機能を高めるための精度の要求はなく封止性能には限界があって、間仕切りの両サイドの区画のプール水が混じりあい、切断プール側の汚濁物質が貯蔵プール側に流入することを完全に止めることはできない。
【００１０】
したがって、機器貯蔵プールに間仕切りを設けて不要となった機器を切断プール内で切断する際に、切断によって発生する汚濁物質がプール水の対流や機器や装置類のプールへの入出による水位変動によって、保管プール内に切断プール内の汚濁物質が流入して保管プール内に一時的に貯蔵した機器を汚染する。保管プール内に貯蔵中の機器が汚染されると、その機器の洗浄，除染作業を余儀なくされていた。
【００１１】
このことから、切断プールと保管プールとの区画境界での間仕切りによる封止機能が一層優れた間仕切り装置が求められる。
【００１２】
本発明の目的は、間仕切りによる封止部に間仕切りの隙間が生じても、間仕切りで区画された一方の区画で発生する汚濁物質が他方の区画のプールに流入しないようにした間仕切り装置を実現することである。
【課題を解決するための手段】
【００１３】
本発明の目的を達成するためのプールの仕切り装置の基本的な要件は、プールを複数に区画するとともに、前記各区画間のプール水の混合を抑制する仕切りを有するプールの仕切り装置において、
前記プールの内面と仕切りの間、または仕切りの構成パネル間の隙間に水を供給或いは前記隙間の水を吸引する水輸送設備を備えていることにある。
【００１４】
このような要件を備えることにより、仕切りの隙間に水輸送設備から水を供給して仕切りの隙間から流出させることで隙間を通過しようとするプール水の流れの発生を抑制し、或いは仕切りの隙間に一方の区画から入ってきたプール水を他の区画のプール水に混在する前に水輸送設備で吸い込んで、仕切りの隙間を通過して仕切りを挟んで隣接しあう各区画内のプール水の混在を抑制する。
【発明の効果】
【００１５】
本発明によるプールの仕切り装置によれば、仕切りの仕切り手段がカーテン形状の柔軟性を有するものであれ、パネルのように剛体を用いたものであれ、仕切られた複数のプール区画間での流体の移動をきわめて微小に止めることが実現できる。
【発明を実施するための最良の形態】
【００１６】
原子力発電所における機器貯蔵プール４１は、図１，図２のように、原子炉ウェル１０と連通出来るように原子炉建屋内に設置されている。その原子炉ウェル１０と機器貯蔵プール４１との間は、原子炉の通常運転時には堰板で遮断されている。原子炉ウェル１０の真下には原子炉が設置されていて、原子炉内の機器を分解点検する際には、その原子炉ウェル１０と機器貯蔵プール４１との間の堰板を外してその原子炉ウェル１０と機器貯蔵プール４１との間を連通し、原子炉ウェル１０内の水位と機器貯蔵プール４１内の水位を同じくする。
【００１７】
原子炉内から機器を取リ出して、再組立するまで一時保管する際には、その機器を水面下で原子炉ウェル１０内から機器貯蔵プール４１内を通して図１のように機器貯蔵プール４１の奥に貯蔵機器１３として水没した状態にして置く。貯蔵機器１３が水面下にあることで、貯蔵機器１３からの放射線をプール水が遮蔽してくれる。
【００１８】
機器貯蔵プール４１内では不要となった機器の切断作業も行うので、その切断に使用するスペースが切断作業時に設定される。その切断に供する機器貯蔵プール４１の領域を切断プール９と呼び、貯蔵機器を保管する領域を保管プール８と呼んでいる。その切断プール９と保管プール８との境界、及びその切断プール９と原子炉ウェル１０との境界の各部分には、切断作業を実施する際には間仕切りが設置される。その間仕切りはいずれの境界に設置されるものも同じであるので、切断プール９と保管プール８との境界において設置される間仕切りを代表にして以下に説明する。
【００１９】
第１実施例による間仕切り装置は以下の通りである。即ち、切断プール９と保管プール８との境界に位置する機器貯蔵プール４１の内側側壁面と底面には、図３，図４のように、平行な二条の溝が形成されたカーテンガイド１５が固定されている。その機器貯蔵プール４１の内側側壁面に固定したカーテンガイド１５の溝内にはカーテン１，２の垂直な縁部分が入っている。カーテン１，２の下の縁には錘を兼ねた心棒２９が固定され、その心棒２９が備えられたカーテン１，２の下の縁部分は、図４のように、機器貯蔵プール４１の底面に固定したカーテンガイド１５の溝内に入っている。
【００２０】
カーテン１，２は、水を通さない生地で作られた柔軟性のあるもので、機器貯蔵プール４１の底部から水面を超えて上方にまで至っている。そのカーテン１，２は、機器貯蔵プール４１の上方から巻き取りドラムで巻き取ったり下方へ繰り出したりして、カーテン１，２を機器貯蔵プール４１内に張ったり取り去ったりする。そのカーテン１，２を張ったり取り去る際には、機器貯蔵プール４１の内側側壁面に固定したカーテンガイド１５の溝がカーテン１，２の垂直な縁を上下にガイドする。また、カーテン１，２は柔軟性があるので、カーテン１，２の垂直な縁部分は、図３のように、機器貯蔵プール４１の内側側壁面に固定したカーテンガイド１５に固定した柔軟性のあるフィン３０でカーテン１，２の両面側から挟んで、溝にカーテン１，２の縁が止まるようにしている。
【００２１】
カーテン１，２の間に形成された領域はポケット３と称される部分である。又、切断プール９の領域内で機器貯蔵プール４１の底部には、水輸送設備として送水と浄化の機能を兼ね備えた浄化装置６が設置されている。浄化装置６は、切断プール９内のプール水を吸い込むように吸込口が設定されて原動機で駆動される水中ポンプ４と、水中ポンプ４で吸い込んだプール水を受け入れて濾過するフィルタ５と、濾過したプール水をポケット３内へ送水する配管としての導水管７とを備えている。
【００２２】
より好ましくは、図５のように、機器貯蔵プール４１の側壁面と底面とに沿ってポケット３内に配管した給水管１６を導水管７に接続して採用すると良い。その給水管１６にはカーテンガイド１５の溝の方向に向けて開口した連通口としてのノズル１７が設定され、そのノズル１７は給水管１６の長手方向に分散して給水管１６に設けられている。その給水管１６への導水管７の接続に際しては、給水管１６への導水管７の接続口を二股に分けて、給水管１６の両端に導水管７の接続口を接続すると良い。
【００２３】
原子炉ウェル１０と機器貯蔵プール４１との境界における間仕切り装置も同様であり、浄化装置６は切断プール９と保管プール８との境界に設けた間仕切り装置にも共用している。
【００２４】
このように本実施例では、間仕切りの一方の切断プール９で発生する汚濁物質が他方の保管プール８に流入しないようにするため、少なくとも２重にしたカーテン１，２による間仕切りにより形成されたポケット３に、切断プール９側の汚濁水を清浄にろ過して給水する。
【００２５】
２重に配置したカーテン１，２のポケット３に給水された清浄水は、保管側のカーテン１及び切断側のカーテン２の封止部、即ちカーテン１，２とプール内壁面との間、に発生した隙間からそれぞれのポケット３に隣接する保管プール８及び切断プール９に流入する。この封止部からの漏えいする清浄水による水流を、封止線に沿って、かつ、連続的に発生させると切断プール９の汚濁物質は２重のカーテン１，２のポケット３に逆流することがない。したがって、切断プール９の汚濁物質が保管プール８に混入することがない。
【００２６】
切断プール９及び保管プール８のいずれの側にも機器等の出し入れがない場合は、両側の水位は一定のまま保たれる。浄化装置６でろ過されカーテン１，２の間のポケット３に供給された清浄水は、カーテン１，２とプール壁面との隙間を介して切断プール９に戻される。カーテン１，２は柔軟性があって剛性が充分に無いから、カーテンガイド１５とカーテン１，２、あるいはフィン３０とカーテン１，２との間に、間仕切りとしての隙間が発生し安い。
【００２７】
切断プール９から切断に用いる装置類を引き上げた時、間仕切りが剛性のないカーテン１，２の場合は、切断プール９と保管プール８との間の水位差を保持することができずにカーテン１，２が変形しポケット３に隣接する両プール間で水位が同じくなろうとして、プール壁面との隙間を介して保管プール８からプール水が切断プール９に向かって流入するが、保管プール８からプール水は清浄であるから汚濁水が保管プール８側に流入することがない。
【００２８】
また、逆に切断プール９に装置類を投入した時は、切断プール９側の水位が保管プール８側のそれよりも相対的に高くなり切断プール９の汚濁水が保管プール８に流入する力が働く。しかし、切断プール９内の浄化装置によりろ過した清浄水がカーテン１，２の間のポケット３に供給されると、カーテン１，２の封止部に発生した隙間から切断プール９に清浄水が流入する力が働く。浄化装置６からの給水量を、切断プール９からポケットに流入する汚濁水の量に対し、ポケット３から切断プール９に流入する清浄水の量が勝るように設定すれば、汚濁水が保管プール８に流入することがない。
【００２９】
したがって、機器貯蔵プール４１の仕切られた、いずれかのプールの水位が変動するような操作をした場合においても、清浄水をポケット３に供給することにより切断プール９の汚濁物質が保管プール８に流入し、機器を汚すことを防止できる。また、水位の変動がない場合はなおさら汚濁物質の移動を防止できる。
【００３０】
したがって、機器貯蔵プール４１の仕切られた、いずれかのプール８，９の水位が変動するような操作をした場合においても、清浄水をポケットに供給することにより切断プール９の汚濁物質が保管プール８に流入し、機器を汚すことを抑制乃至は防止できる。また、水位の変動がない場合はなおさら汚濁物質の移動を防止できる。
【００３１】
第１実施例について一層詳しく解説すると、以下の通りである。まず、図１を参照して本発明における間仕切り装置の基本構成を説明する。図１は、本発明による間仕切り装置の基本構成を示す図である。図１において、原子炉ウェル１０に隣接する機器貯蔵プール４１は、保管プール８と切断プール９とに分断される。また、機器貯蔵プール４１と原子炉ウェル１０の間も同様に仕切る構成としているが本発明の説明は保管プール８と切断プール９の間の仕切りで説明する。
【００３２】
機器貯蔵プール４１は保管プール８側のカーテン１と切断プール９側のカーテン２により仕切られ、保管プール８と切断プール９とに分断される。保管プール８では貯蔵機器
１３を一時仮置きする。このとき、カーテン１とカーテン２の間にポケット３が形成される。間仕切りとしての、カーテン１およびカーテン２は、強固な封止力を維持できないため、保管プール８と切断プール９の水は対流により混合し易い。また、切断プール９における切断用機材などの切断プール９に対する入出を行うと保管プール８と切断プール９との両水面に差を生じないように自然と水の流動はさらに著しくなる。
【００３３】
また、切断プール９では、切断により発生する汚濁物質はプール水と混合し汚濁水１１となって、水中ポンプ４及びフィルタ５からなる浄化装置６で吸引，ろ過し清浄水１２に変えて循環し切断プール９の水質維持と透明度の維持をはかる。本実施例では、浄化装置６でろ過した清浄水１２を、導水管７を介してカーテン１とカーテン２のポケット３に注入する。
【００３４】
そして、注入された清浄水１２は、カーテン１とカーテンガイド１５との間に発生した微小な隙間を介して保管プール８に流入する。同様に注入された清浄水１２は、カーテン２とカーテンガイド１５との間に発生した微小な隙間を介して切断プール９に流入する。また、図２はプールの平面図を示し、水中に設置された浄化装置６から導水管７が気中に立ち上がり、プールの上部よりポケット３に給水を行う。
【００３５】
次に、図３を用いてプール壁面１４とカーテン１，２の封止部について詳述する。
【００３６】
図３において、カーテン１とカーテン２の垂直な縁部分はプール壁面１４に取り付けられたカーテンガイド１５の溝である窪みに挿入されて封止部を形成する。さらに、カーテン１，２は剛性がないためプール水の移動量が多い場合、カーテン１，２は所定の形状を維持できずにカーテン１，２とカーテンガイド１５に隙間を生じてプール水の流動が著しくなると予測される。そこで、カーテンガイド１５にフィン３０を、フィン３０でカーテン１，２を挟みこむように配置して設置する。このことにより、カーテン１，２の変形を防止し、封止性能を高めることができる。
【００３７】
また、図４を用いてプール底面３９とカーテンの封止部について詳述する。
【００３８】
図４において、カーテン１及びカーテン２の下端には錘を兼ねた心材２９が固定され、その心材２９の重さでカーテン１及びカーテン２が下方に引っ張れて垂直に張られる。機器貯蔵プール４１のプール底面３９に向けて心材による引っ張り荷重を受けてカーテン１及びカーテン２は垂直に立面し、プール底面３９に取り付けられたカーテンガイド１５の溝である窪みにカーテン１及びカーテン２の下方の縁が挿入されて封止部を形成する。
【００３９】
ここで、カーテン１とカーテン２のポケット３に供給された清浄水１２は、カーテン１とカーテン２とカーテンガイド１５の窪みとの間の微小な隙間を介してポケット３の外側に流出する。このように、浄化装置６から清浄水１２を２重の仕切りカーテン１，２間のポケット３に給水し、カーテン１とカーテン２とカーテンガイド１５の窪みとの間の微小な隙間を通じて保管プール８および切断プール９の双方に流入させることにより、切断プール９の汚濁物質が保管プール８に流入することを防止できる。
【００４０】
また、逆に、カーテン１とカーテン２との間のポケット３から水をポンプで吸引し、保管プール８及び切断プール９の双方からポケット３に、それぞれのプール８，９のプール水が、カーテン１とカーテン２とカーテンガイド１５の窪みとの間の微小な隙間を通じて流入するようにし、この吸引したプール水を浄化装置６のフィルタ５でろ過した後、それぞれのプール８，９に戻す様にしても良い。この場合にも、切断プール９の汚濁物質が保管プール８へ流入する前にポケット３を汚濁物質が通過するので、その汚濁物質をポケット３から吸引して浄化することによって、切断プール９の汚濁物質が保管プール８に流入することを防止できる。
【００４１】
図５は、カーテン１とカーテン２の間のポッケト３内で封止部に沿って清浄水１２が一様に供給されるように配置した給水管１６を示す。機器貯蔵プール４１が大型で封止の距離が長い場合は、供給された清浄水が封止線に沿って一様にならない場合が起こる。この場合、封止線に沿って設けた給水管１６に、一定の間隔に設けたノズル１７から封止線に沿って分割して給水することにより、ポッケト３から各プール８，９に向かってに流入する清浄水１２を均一に流すことができる。
【００４２】
図６はその給水管１６を有する場合の封止部の水平断面図を示す。給水管１６のノズル１７は、カーテン１およびカーテン２とカーテンガイド１５の隙間の方向に向けられ、清浄水１２がポケット３からプール側に無理なく流出できるよう配置されている。さらに、このノズル１７はカーテンガイド１５の長手方向に沿って一定の間隔に配置されていることから、ポケット３からプール壁面１４やプール底面３９に沿って清浄水を均一に流すことができる。
【００４３】
機器貯蔵プール４１と原子炉ウェル１０との境界に設けられる間仕切り装置も以上に解説したと同様である。
【００４４】
本発明の第２実施例による間仕切り装置は以下の通りである。即ち、第２実施例による間仕切り装置は、仕切りの材料として、カーテン１，２に比較して剛性の高いパネル１８を用いたもので、そのパネル１８は水を通さない材料で構成されている。そのパネル１８はカーテンと異なって厚みが大きいので、そのパネル１８の垂直な縁面には図９のように、パネルポケット２０が垂直な縁に沿って形成されている。そのパネルポケット２０の両側にはパネルポケット２０と平行に２条の溝が形成され、その溝の内側にはガスケット
１９が設けられている。
【００４５】
さらに、そのパネルの下側の縁面には、図１０のように、給水溝２４がその縁に沿って形成される。その給水溝２４の途中にまで差し込める形状の凸部がパネル１８の上方の縁面に形成されている。そのパネル１８の内側には、パネルポケット２０と給水溝２４に通じる給水路２３が形成されている。
【００４６】
一番下に配置されるパネル１８の下側の縁面には給水路の水流出口が開口しているとともに、その水流出口を挟んで両側に２条の平行な凸部が形成されている。
【００４７】
パネル１８自体は自立できないので、パネル１８を積み上げて自立させるためにパネルガイド４０が切断プール９と保管プールとの境界部に設けられている。パネルガイド４０は、図７，図８のように、機器貯蔵プール４１のプール壁面１４に沿って垂直に立てられ、パネル１８の垂直な縁部分を両側から挟み込むように配置した各支柱４２と、各支柱
４２が倒れないように支柱４２と底板４３との間に接合されたリブ板４５と、各支柱４２で挟まれてプール底面３９に置かれた受け板４４とからなる。その受け板４４には、２条の平行な溝が一番下に配置されるパネル１８の下側の縁面に設けた２条の平行な凸部と噛合う配置で設けられ、その溝にはガスケットが設けられている。
【００４８】
パネル１８を機器貯蔵プール４１内に設置する場合には、パネルガイド４０を機器貯蔵プール４１内にプール壁面１４に沿って設置し、一番下になるパネル１８をその垂直な縁部をパネルガイド４０の支柱４２の間に入れて降下させ、プール底面３９に設置した受け板４４上に着床させる。このようにすると、一番下のパネル１８の下端の縁面に形成した凸部が受け板４４の溝に嵌り込んでその溝内のガスケットを上方から押して、その凸部とガスケットとが密着する。
【００４９】
次に、一番下のパネル１８に下から２段目のパネル１８を同様にパネルガイド４０の支柱４２の間に入れて降下させて一番下のパネル１８の上側の縁面に着床させて重ねて継ぎ足してゆく。このようにすると、一番下のパネル１８の上方の縁面に形成された凸部が下から２段目のパネル１８の下の縁面に形成した給水溝２４に嵌って継ぎ目が形成されて積み重ねられる。
【００５０】
その下から２段目のパネル１８には、同様に下から３段目のパネル１８を積み重ね、以下最上段までパネル１８を積み重ねる。この様にすると、図７，図８のように、機器貯蔵プール４１の水面を超えて上方までパネル１８の積み重ね体が構築され、それはパネルガイド４０によって倒れたり崩れたりしないように支持されている。
【００５１】
最上段のパネル１８の給水路２３には、図８のように、実施例１で解説した浄化装置６から清浄水を導水する導水管７が接続される。この浄化装置６は、実施例１と同様に切断プール９に設置され、切断プール９内のプール水をポンプ４で吸引してフィルタ５に送って濾過し、濾過した清浄水１２を導水管７へポンプ４で圧送することが出来る。
【００５２】
清浄水１２が導水管７に圧送されると、その清浄水１２は導水管７から給水路２３内に圧送されることになる。その清浄水１２は給水路２３を通じてパネルポケット２０と給水溝２４に圧送される。パネルポケット２０に圧送された清浄水は、パネル１８の縁と機器貯蔵プール４１のプール壁面１４、及びそのプール壁面１４とガスケット１９との間に発生した仕切りの隙間を通って保管プール８と切断プール９内へ流出する。
【００５３】
又、清浄水１２は、図１０のように、給水路２３を通じて給水溝２４にも圧送され、給水溝２４内の清浄水は上下に隣接するパネル１８間の重ね合わせ目（上下の継ぎ目）に発生した仕切りの隙間を通って保管プール８と切断プール９内へ流出する。
【００５４】
さらには、清浄水１２は給水路２３を通じて受け板４４とパネル１８との間にも供給され、受け板４４とパネル１８の下側縁との間、及び受け板４４の溝に設けたガスケットと受け板４４乃至はパネル１８の下側縁との間に発生した仕切りの隙間を通って保管プール８と切断プール９内へ流出する。機器貯蔵プールと原子炉ウェルとの境界に置かれる仕切り装置についても上述の第２実施例と同様である。
【００５５】
このようにして、仕切りの隙間に清浄水１２をパネル１８の内側から外側に向けて通すことによって、切断プール９側の汚濁水が仕切りの隙間を通じて保管プール８側や原子炉ウェル１０側に混ざり込むことが抑制できる。
【００５６】
第２実施例を、さらに説明すると、以下の通りである。即ち、図７において、適当な大きさに分割されたパネル１８は、プール壁面１４に沿ってパネル１８の四隅に設けられたパネルガイド４０により立設した一つの仕切りを構成する。図８は、その立設したパネル
１８とパネルガイド４０の断面図を示す。図８において、パネルガイド４０はパネル１８を挟み込むように構成され、パネル１８をプール底面３９から段積みする際のガイドになるとともに転倒を防止する。
【００５７】
一方、清浄水１２は導水管７を介してパネル１８に供給される。図９は、パネル１８とプール壁面１４の封止部の詳細を示す。図９において、パネル１８は、プール壁面１４との間に二重のガスケット１９を有し、パネルポケット２０を形成する。
【００５８】
パネルポケット２０に供給された清浄水１２は、プール壁面１４とガスケット１９の微小な隙間を介してパネル１８の両側に流入する。したがって、切断プール９の汚濁物質がパネル１８の反対側にある保管プール８に混入することはない。
【００５９】
図１０は前記パネル１８の継ぎ目の構造を示す。図１０において、上下に隣接する各パネル１８は重ね合わせて一体となって仕切り板を構成する。また、パネル１８の重ね合わせ部（重ね合わせ継ぎ目）には給水溝２４が設けられおり、給水路２３を介して給水溝
２４に供給された清浄水１２は、パネル１８の重ね合わせ部（重ね合わせ継ぎ目）の微小な隙間を介して仕切り板の両側に流出して、切断プール９の汚濁物質が反対側の保管プール８に流入することを防止する。
【００６０】
給水溝２４やパネルポケット２０内のプール水を給水路２３を経由してポンプで吸込、結果的に仕切りの隙間に保管プール８や切断プール９から侵入してきたプール水を吸い込んで浄化装置で浄化処理した後に機器貯蔵プール４１に戻し入れるようにしても切断プール９から保管プール８への汚濁水の混在が抑制できる。
【００６１】
本発明各実施例によれば、仕切りがカーテン形状の柔軟性を有するものであれ、パネルのように剛体を用いたものであれ、仕切りに発生した隙間を通じてのプール間の汚濁物質の移動をきわめて微小に止めることが実現できる。
【産業上の利用可能性】
【００６２】
本発明の利用分野について、一例を掲げれば、原子力発電所における機器貯蔵プールを保管プールと切断プールとに区画する仕切りに利用分野がある。
【図面の簡単な説明】
【００６３】
【図１】本発明の一実施形態であるカーテンによる間仕切り装置の全体構成図である。
【図２】本発明の一実施形態である間仕切り装置の平面を示す説明図である。
【図３】本発明の一実施形態における壁面の、封止部の流れの説明図である。
【図４】本発明の一実施形態における底面の、封止部の流れの説明図である。
【図５】本発明の一実施形態における清浄水を封止線に沿って均一に供給する場合の構成図である。
【図６】本発明の一実施形態における清浄水を封止線に沿って均一に供給する場合の清浄水の、封止部の流れの説明図である。
【図７】本発明の一実施形態における仕切りが剛体の場合の構成図である。
【図８】仕切りが剛体の場合の断面図である。
【図９】仕切りが剛体の場合の、封止部の詳細図である。
【図１０】本発明の一実施形態におけるパネル継ぎ目の構成図である。
【符号の説明】
【００６４】
１，２…カーテン、３…ポケット、４…ポンプ、５…フィルタ、６…浄化装置、７…導水管、８…保管プール、９…切断プール、１０…原子炉ウェル、１１…汚濁水、１２…清浄水、１３…貯蔵機器、１４…プール壁面、１５…カーテンガイド、１６…給水管、１７…ノズル、１８…パネル、１９…ガスケット、２０…パネルポケット、２３…給水路、
２４…給水溝、２５…心棒、２６…ローカーテン、２７…フロア、２８…支柱、３０…フィン、３９…プール底面、４０…パネルガイド、４１…機器貯蔵プール。
【図１】
2006242727.tif 000003
【図２】
2006242727.tif 000004
【図３】
2006242727.tif 000005
【図４】
2006242727.tif 000006
【図５】
2006242727.tif 000007
【図６】
2006242727.tif 000008
【図７】
2006242727.tif 000009
【図８】
2006242727.tif 000010
【図９】
2006242727.tif 000011
【図１０】
2006242727.tif 000012